(57)【特許請求の範囲】
【請求項１】
リサイクル媒体を回収する媒体回収装置と、リサイクル媒体を発行する媒体発行装置とを備えた媒体処理システムであって、
上記リサイクル媒体を、繰返しリライト可能な熱可逆性リサイクル媒体で構成し、
上記媒体回収装置が回収する熱可逆性リサイクル媒体を収納するリサイクル媒体回収箱と、
上記リサイクル媒体回収箱を加熱して上記収納した複数の熱可逆性リサイクル媒体の印字記録情報を消去する消去手段と、
上記媒体発行装置に装着された上記リサイクル媒体回収箱に収納されている消去済みの熱可逆性リサイクル媒体を発行許容する手段とを備えた
媒体処理システム。
【請求項２】
リサイクル媒体を集札する自動集札機と、リサイクル媒体を精算時に発行する自動精算機とを備えた媒体処理システムであって、
上記リサイクル媒体を、繰返しリライト可能な熱可逆性リサイクル媒体で構成し、
上記自動集札機が集札する熱可逆性リサイクル媒体を収納するリサイクル媒体回収箱を備え、
上記リサイクル媒体回収箱を加熱して上記収納した複数の熱可逆性リサイクル媒体の印字記録情報を消去する消去手段を上記自動集札機に備え、
上記自動精算機に装着された上記リサイクル媒体回収箱に収納されている消去済みの熱可逆性リサイクル媒体を精算用に発行許容する手段を上記自動精算機に備えた
媒体処理システム。
【請求項３】
リサイクル媒体を集札する自動集札機と、リサイクル媒体を販売する自動販売機とを備えた媒体処理システムであって、
上記リサイクル媒体を、繰返しリライト可能な熱可逆性リサイクル媒体で構成し、
上記自動集札機が集札する熱可逆性リサイクル媒体を収納するリサイクル媒体回収箱を備え、
上記リサイクル媒体回収箱を加熱して上記収納した複数の熱可逆性リサイクル媒体の印字記録情報を消去する消去手段を上記自動集札機に備え、
上記自動販売機に装着された上記リサイクル媒体回収箱に収納されている消去済みの熱可逆性リサイクル媒体を販売用に発行許容する手段を上記自動販売機に備えた
媒体処理システム。
【請求項４】
熱可逆性リサイクル媒体の回収／集札時に、同媒体の表裏を一方向に揃えて回収／集札する表裏反転手段を備えた
請求項１、２または３記載の媒体処理システム。
【請求項５】
リサイクル媒体を回収する媒体回収装置と、リサイクル媒体を発行する媒体発行装置とを備えて、同媒体をリサイクル処理する媒体処理方法であって、
上記リサイクル媒体として、繰返しリライト可能な熱可逆性リサイクル媒体を用い、
上記媒体回収装置が回収する熱可逆性リサイクル媒体をリサイクル媒体回収箱が収納した時は、上記リサイクル媒体回収箱を加熱して上記収納した複数の熱可逆性リサイクル媒体の印字記録情報を消去手段により消去し、
上記媒体発行装置に装着された上記リサイクル媒体回収箱に収納されている消去済みの熱可逆性リサイクル媒体を発行許容する
媒体処理方法。
【発明の詳細な説明】
【０００１】
【産業上の利用分野】
この発明は、例えば鉄道の駅務に設置される自動改札機、自動精算機および自動券売機に適用されるような媒体処理システムに関し、さらに詳しくは媒体をリサイクル利用して資源節約に貢献する媒体処理システムおよびその方法に関する。
【０００２】
【従来の技術】
一般に、駅務で利用される切符や回数券等の乗車券、あるいは遊園地や各種の催し会場で利用される入場券等は消耗品として使用されるため、一度発行すると一回の使用で用済みとなり、再利用できなかった。また、所定期間あるいは所定回数利用可能な乗車カード、定期券、テレホンカード等の磁気カードを用いて複数回利用を図った場合は、使用期限や使用回数に限度があり、またこれを再利用できなかった。
【０００３】
さらに、券やカードの使用後は、回収されて廃棄処分されることになり、一日に多量に使用される切符等にあっては廃棄処分量が多く、資源の節約に不適であり、特に回収した切符は新券のような状態であるにも拘らず廃棄処分が余儀なくされて不経済となっていた。また、この種の券は係員による券回収作業、廃棄作業および新券補充作業を要して手間がかかり、駅務等で自動集札機、自動精算機、自動券売機等の多くの券回収／発行装置を設置している場合は、これに比例して多くの作業労力を要する問題を有していた。
【０００４】
【発明が解決しようとする課題】
そこでこの発明は、媒体発行装置および媒体回収装置間で取扱われる媒体を、繰返しデータ記録／消去して効率よくリサイクル利用できるようにした媒体処理システムおよびその方法の提供を目的とする。
【０００５】
【課題を解決するための手段】
請求項１記載の発明は、リサイクル媒体を回収する媒体回収装置と、リサイクル媒体を発行する媒体発行装置とを備えた媒体処理システムであって、上記リサイクル媒体を、繰返しリライト可能な熱可逆性リサイクル媒体で構成し、上記媒体回収装置が回収する熱可逆性リサイクル媒体を収納するリサイクル媒体回収箱と、上記リサイクル媒体回収箱を加熱して上記収納した複数の熱可逆性リサイクル媒体の印字記録情報を消去する消去手段と、上記媒体発行装置に装着された上記リサイクル媒体回収箱に収納されている消去済みの熱可逆性リサイクル媒体を発行許容する手段とを備えたことを特徴とする。
【０００６】
請求項２記載の発明は、リサイクル媒体を集札する自動集札機と、リサイクル媒体を精算時に発行する自動精算機とを備えた媒体処理システムであって、上記リサイクル媒体を、繰返しリライト可能な熱可逆性リサイクル媒体で構成し、上記自動集札機が集札する熱可逆性リサイクル媒体を収納するリサイクル媒体回収箱を備え、上記リサイクル媒体回収箱を加熱して上記収納した複数の熱可逆性リサイクル媒体の印字記録情報を消去する消去手段を上記自動集札機に備え、上記自動精算機に装着された上記リサイクル媒体回収箱に収納されている消去済みの熱可逆性リサイクル媒体を精算用に発行許容する手段を上記自動精算機に備えたことを特徴とする。
【０００７】
請求項３記載の発明は、リサイクル媒体を集札する自動集札機と、リサイクル媒体を販売する自動販売機とを備えた媒体処理システムであって、上記リサイクル媒体を、繰返しリライト可能な熱可逆性リサイクル媒体で構成し、上記自動集札機が集札する熱可逆性リサイクル媒体を収納するリサイクル媒体回収箱を備え、上記リサイクル媒体回収箱を加熱して上記収納した複数の熱可逆性リサイクル媒体の印字記録情報を消去する消去手段を上記自動集札機に備え、上記自動販売機に装着された上記リサイクル媒体回収箱に収納されている消去済みの熱可逆性リサイクル媒体を販売用に発行許容する手段を上記自動販売機に備えたことを特徴とする。
【０００８】
請求項４記載の発明は、熱可逆性リサイクル媒体の回収／集札時に、同媒体の表裏を一方向に揃えて回収／集札する表裏反転手段を備えたことを特徴とする。
【０００９】
請求項５記載の発明は、リサイクル媒体を回収する媒体回収装置と、リサイクル媒体を発行する媒体発行装置とを備えて、同媒体をリサイクル処理する媒体処理方法であって、上記リサイクル媒体として、繰返しリライト可能な熱可逆性リサイクル媒体を用い、上記媒体回収装置が回収する熱可逆性リサイクル媒体をリサイクル媒体回収箱が収納した時は、上記リサイクル媒体回収箱を加熱して上記収納した複数の熱可逆性リサイクル媒体の印字記録情報を消去手段により消去し、上記媒体発行装置に装着された上記リサイクル媒体回収箱に収納されている消去済みの熱可逆性リサイクル媒体を発行許容することを特徴とする。
【００１０】
【作用】
この発明によれば、媒体回収装置が熱可逆性リサイクル媒体を回収してリサイクル媒体回収箱に収納したとき、その収納した複数の熱可逆性リサイクル媒体の印字記録情報を消去手段が消去し、リサイクル媒体回収箱が媒体発行装置に装着されたとき、消去された熱可逆性リサイクル媒体を発行する。
【００１１】
また、自動集札機が熱可逆性リサイクル媒体を回収してリサイクル媒体回収箱に収納したとき、その収納した複数の熱可逆性リサイクル媒体の印字記録情報を消去手段が消去し、リサイクル媒体回収箱が自動精算機に装着されたとき、消去された熱可逆性リサイクル媒体を精算用に発行する。
【００１２】
さらに、自動集札機が熱可逆性リサイクル媒体を回収してリサイクル媒体回収箱に収納したとき、その収納した複数の熱可逆性リサイクル媒体の印字記録情報を消去手段が消去し、リサイクル媒体回収箱が自動販売機に装着されたとき、消去された熱可逆性リサイクル媒体を販売用に発行する。
【００１３】
また、リサイクル媒体の回収／集札時に、表裏反転手段が同媒体の表裏を一方向に揃えて回収／集札する。
【００１４】
【発明の効果】
この結果、リサイクル媒体を繰返し使用して半永久的に再利用できるため、この媒体は廃棄処分されずに有効利用でき、特に多量に使用される切符等に適用した場合には資源の節約に貢献でき、しかも経済的であり、またこれに伴って係員の券回収作業や券補充作業を省略でき、ことに多くの媒体発行／回収装置が設置されている場合は、その作業負担や作業労力を削減することができる。
特に、リサイクル媒体回収箱内に回収した熱可逆性リサイクル媒体は、ここに回収されている間にその印字データを消去手段により十分時間をかけて加熱消去することができる。
【００１５】
また、熱可逆性リサイクル媒体でリサイクル媒体を形成しているため、温度域に応じて媒体情報を容易に印字／消去してリサイクル利用でき、ことにリサイクル媒体回収箱に収納した段階で熱可逆性リサイクル媒体に時間をかけて十分に温度処理できるため、完全な消去が得られ、リサイクル媒体に適した安定した消去処理性能が得られる。
【００１６】
さらに、自動精算機や自動販売機に適用した場合は、精算券や販売券を熱可逆性リサイクル媒体で形成してリサイクル利用が図れ、また自動集札機との間で繰返しリサイクル利用することができる。また、表裏を揃えてリサイクル媒体を回収／集札した場合は、温度処理面が一方向に揃って、温度処理を効率よく実行することができる。
【００１７】
【実施例】
この発明の実施例を以下図面に基づいて詳述する。
［第１実施例］
図１は鉄道の駅務に設置される自動集札機１１と自動精算機１２との間でリサイクル利用を図った乗車券処理システムを示し、券回収用に設置される自動集札機１１は、この上面前後位置に開口する券投入口１３と券放出口１４との間を結ぶ券処理ライン１５上に、リライトカードの磁気データを読取り／書込み／読取り確認する各磁気ヘッド１６，１７，１８を配設し、その磁気ヘッドの後段側には券処理ライン１５より分岐して搬送接続した廃棄券回収箱１９と、リサイクル券回収箱２０とを配設し、廃棄券回収箱１９にはリサイクル利用不適な乗車券を回収し、リサイクル券回収箱２０にはリサイクル利用可能なリライトカードを回収する。
【００１８】
この場合、リサイクル券回収箱２０前段の分岐ライン上には表裏反転ライン２１を接続して、ここに導かれたリライトカードの表裏を一方向に揃えてからリサイクル券回収箱２０に回収処理する。また、このリサイクル券回収箱２０の下部あるいはその周囲全体を加熱する加熱装置２２を備えて、この箱２０内に回収されたリライトカードの印字データを加熱して消去する。このとき、表裏を揃えてリサイクル券回収箱２０内に回収することで、加熱消去に適した熱伝達方向に設定でき、回収された全てのリライトカードを略均一に加熱して安定した加熱消去を施すことができる。また、回収したリライトカードをリサイクル券回収箱２０内で十分時間をかけて均一に温度処理できるため完全なデータ消去が得られ、加熱印刷と加熱消去との特性を有するリライトカードのリサイクル利用に適した安定した処理が得られる。
【００１９】
また、このリサイクル券回収箱２０は、自動集札機１１と自動精算機１２との双方に共通利用可能に着脱許容して設けており、自動集札機１１からリサイクル券回収箱２０を取外してそのまま精算券発行用の自動精算機１２に装着することで、箱２０内のリライトカードは新券として取扱われ、この自動精算機１２からは前回の印字データが完全に消去された真新しいリライトカードを発行許容する。
【００２０】
この自動精算機１２は、内部奥方に配設した新券発行箱２３とリサイクル券回収箱２０との双方の箱２３，２０からリライトカードを発行許容し、これらの箱２３，２０と前面の券発行口２４との間を結ぶ券発行ライン２５上には、サーマルヘッド２６と、磁気書込みヘッド２７と、磁気読取り確認ヘッド２８を配設して、精算時に新券発行箱２３とリサイクル券回収箱２０の一方から精算用のリライトカードを発行する。
【００２１】
図２はリライトカード２９を示し、上面から保護膜層３０と、感熱層３１と、磁気層を一部含む基板層３２との３層をこの順で積層して一体成形し、この上面にサーマルヘッド３３が加熱接触して所定の乗車データを印字するものであって、サーマルヘッド３３の電極に所定の電圧を印加して発熱体（抵抗体）３４を発熱させ、この発熱量でヘッド保護層３５を介してリライトカード２９を加熱処理する。
【００２２】
上述のリライトカード２９の感熱層３１は、図３に示すように、樹脂材３６中に含ませた多数の有機低分子物質が特定の温度域で透明色を呈する単結晶３７ａ…と、光を乱反射させて白濁色を呈する多結晶３７ｂ…とに変化する熱可逆特性を有している。
【００２３】
この感熱層３５に対し、既述したサーマルヘッド３３で加熱して、白濁色と透明色とのコントラスト差をつけることにより、カード表面に所定の取引データの文字を明確に印字し、またサーマルヘッド３３でカード面に特定の温度を付与することにより、印字された文字を部分的に消去する。さらに、感熱層３５の表面は透明で耐熱性の良好な薄い保護膜層３０で被覆して、このリライトカード２９の片面全体を感熱対応形の印字欄に設けている。
【００２４】
また、リライトカードはこれに限らず、リサイクル利用に適した感熱積層構造に構成することができる。例えば、図４に示すリライトカード４１のように、上面から保護膜層４２と、感熱層４３と、光反射用のアルミニウム層４４と、磁気層４４と、樹脂基板層４６との５層をこの順で積層して一体成形すれば、感熱感度の高いリライトカード４１を形成することができる。
【００２５】
このように構成された乗車券処理システムのリライトカード２９のリサイクル処理動作を次に説明する。
今、乗車利用後の出札時に、客が自動集札機１１の券投入口１３に乗車利用した乗車券を投入すると、この投入された乗車券は内部の券処理ライン１５上で有効性が磁気チェックされ、適正であれば回収して出札許容し、不適であれば券放出口１４に放出して出札規制する。
【００２６】
この乗車券を回収する集札処理時に、リサイクル利用不適な乗車券であれば廃棄券回収箱１９に回収し、リサイクル利用可能なリライトカード２９であればリサイクル券回収箱２０に回収する。このとき、リライトカード２９はリサイクル券回収箱２０に回収する過程で表裏反転ライン２１を通過して表裏が一方向に揃えられて回収される。この表裏を揃えてリサイクル券回収箱２０内に回収することで、リライトカード２９の加熱処理面を加熱伝達側に対応させて位置させることができ、この回収したリライトカードを順次均一に加熱して消去処理することができる。また、この箱２０内に回収したリライトカード２９は、ここに回収されている間にその印字データが加熱装置２２により十分時間をかけて加熱消去することができる。
【００２７】
このようにして一枚ずつリライトカード２９を回収し、このリサイクル券回収箱２０にリライトカード２９が略一杯になると、自動集札機１１から取外して、これを自動精算機１２に装着する。この場合、使用済みのリライトカード２９を精算用の新券として取扱い、自動精算機１２からの精算券発行時に、新券発行箱２３あるいはリサイクル券回収箱２０から一枚ずつリライトカード２９を発行する。この発行された精算用のリライトカード２９は、出札時に自動集札機１１に投入して集札処理され、このように自動集札機１１の集札処理と自動精算機１２の発行処理とが同一のリライトカード２９を用いて繰返し利用される。
［第２実施例］
図５は自動集札機５１と自動券売機５２との間でリサイクル利用を図った乗車券処理システムを示し、自動集札機５１は、既述した第１実施例と同構造を有しており、上面前後位置に開口する券投入口５３と券放出口５４との間を結ぶ券処理ライン５５上に、リライトカードの磁気データを読取り／書込み／読取り確認する各磁気ヘッド５６，５７，５８を配設し、その磁気ヘッドの後段側には券処理ライン５５より分岐して搬送接続した廃棄券回収箱５９と、リサイクル券回収箱６０とを配設し、廃棄券回収箱５９にはリサイクル利用不適な乗車券を回収し、リサイクル券回収箱６０にはリサイクル利用可能なリライトカードを回収する。
【００２８】
この場合、リサイクル券回収箱６０前段の分岐ライン上には表裏反転ライン６１を接続して、ここに導かれたリライトカードの表裏を一方向に揃えてからリサイクル券回収箱６０に回収処理する。また、このリサイクル券回収箱６０の下部あるいはその周囲全体を加熱する加熱装置６２を備えて、この箱６０内に回収されたリライトカードの印字データを加熱して消去する。
【００２９】
また、このリサイクル券回収箱６０は、自動集札機５１と自動券売機５２との双方に共通利用可能に着脱許容して設けており、自動集札機５５からリサイクル券回収箱６０を取外してそのまま乗車券発行用の自動券売機５２に装着することで、箱６０内のリライトカードは新券として取扱われ、この自動券売機５２からは前回の印字データが完全に消去された新しいリライトカードを発行許容する。
【００３０】
この自動券売機５２は、内部奥方に配設した新券発行箱６３とリサイクル券回収箱６０との双方の箱６３，６０からリライトカードを発行許容し、これらの箱６３，６０と前面の券発行口６４との間を結ぶ券発行ライン６５上には、サーマルヘッド６６と、磁気書込みヘッド６７と、磁気読取り確認ヘッド６８を配設して、発券時に新券発行箱６３とリサイクル券回収箱６０の一方から乗車券としてのリライトカードを発行する。
【００３１】
この場合の乗車券処理システムのリライトカードのリサイクル処理動作を次に説明すると、今、乗車利用後の出札時に、客が自動集札機５１の券投入口５３に乗車利用した乗車券を投入すると、この投入された乗車券は内部の券処理ライン５５上で有効性が磁気チェックされ、適正であれば回収して出札許容し、不適であれば券放出口５４に放出して出札規制する。
【００３２】
この乗車券を回収する集札処理時に、リサイクル利用不適な乗車券であれば廃棄券回収箱５９に回収し、リサイクル利用可能なリライトカードであればリサイクル券回収箱６０に回収する。このとき、リライトカードはリサイクル券回収箱６０に回収する過程で表裏反転ライン６１を通過して表裏が一方向に揃えられて回収される。この表裏を揃えてリサイクル券回収箱６０内に回収することで、リライトカードの加熱処理面を加熱伝達側に対応させて位置させることができ、この回収したリライトカードを順次均一に加熱処理して消去することができる。また、この箱６０内に回収したリライトカードは、ここに回収されている間にその印字データが加熱装置６２により十分時間をかけて加熱消去することができる。
【００３３】
このようにして一枚ずつリライトカードを回収し、このリサイクル券回収箱６０にリライトカードが略一杯になると、自動集札機５１から取外して、これを自動券売機５２に装着する。この場合、使用済みのリライトカードを乗車用の新券として取扱い、自動券売機５２からの乗車券発行時に、新券発行箱６３あるいはリサイクル券回収箱６０から一枚ずつリライトカードを発行する。この発行された乗車用のリライトカードは、出札時に自動集札機５１に投入して集札処理され、このように自動集札機５１の集札処理と自動券売機５２の発行処理とが同一のリライトカードを用いて繰返し利用される。
【００３４】
上述のように、自動集札機と自動精算機あるいは自動券売機間でリライトカードを繰返し使用して半永久的に再利用できるため、このリライトカードを廃棄処分せずに有効利用でき、特に多量に使用される切符等に適用した場合は資源の節約に貢献でき、しかも経済的であり、またこれに伴う係員の券回収作業や券補充作業を省略でき、ことに多くの自動集札機や自動精算機／自動券売機が設置されている場合は、その作業負担や作業労力を的確に削減することができる。
【００３５】
また、自動集札機と自動精算機／自動券売機間で着脱許容したリサイクル券回収箱を用いてリライトカードを収納管理すれば、一方の自動集札機から他方の自動精算機／自動券売機側に一括して供給できる。また、熱可逆性のリライトカードで形成した場合は、温度域に応じてリライトカード情報を容易に印字／消去してリサイクル利用でき、ことに箱に収納した段階でリライトカードに時間をかけて十分に温度処理できるため、完全な印字消去が得られ、リライトカードに適した安定した消去処理性能が得られる。
【００３６】
さらに、自動精算機や自動券売機で発行する精算券や販売券をリライトカードで形成して適用した場合は、自動集札機との間で繰返しリサイクル利用することができる。また、表裏を揃えてリライトカードを回収／集札した場合は、温度処理面が一方向に揃って、リライトカードの温度処理を効率よく実行することができる。
【００３７】
この発明と、上述の実施例の構成との対応において、
この発明の媒体回収装置は、実施例の各自動集札機１１，５１に対応し、
以下同様に、
媒体発行装置は、自動精算機１２と自動券売機５２とに対応し、
熱可逆性リサイクル媒体は、リライトカード２９，４１に対応し、
消去手段は、各加熱装置２２，６２に対応し、
リサイクル媒体回収箱は、リサイクル券回収箱２０に対応し、
消去済みの熱可逆性リサイクル媒体を発行許容する手段は、券発行口２４，６４と券発行ライン２５，６５に対応し、
自動販売機は、自動券売機５２に対応し、
表裏反転手段は、各表裏反転ライン２１，６１に対応するも、この発明は上述の実施例の構成のみに限定されるものではない。
【００３８】
例えば、上述の実施例ではリサイクル券回収箱２０，６０を用いて、一方の自動集札機１１，５１から他方の自動精算機１２／自動券売機５２側に係員によって一括供給する場合を示したが、これに限らず、双方の供給部間を自動的にリライトカードを搬送するリライトカード搬送ラインで接続して構成することもできる。
【図面の簡単な説明】
【図１】  この発明の第１実施例の乗車券処理システムの概略構成図。
【図２】  この発明の第１実施例のリライトカード加熱処理時の一部拡大縦断面図。
【図３】  この発明の第１実施例のリライトカード加熱処理時に変化する組織原理図。
【図４】  この発明の第１実施例の他のリライトカード例を示す一部拡大縦断面図。
【図５】  この発明の第２実施例の乗車券処理システムの概略構成図。
【符号の説明】
１１，５１…自動集札機
１２…自動精算機
２０，６０…リサイクル券回収箱
２１，６１…表裏反転ライン
２２，６２…加熱装置
２４，６４…券発行口
２５，６５…券発行ライン
２９，４１…リライトカード
５２…自動券売機
【図１】
0003746814.tif 000002
【図２】
0003746814.tif 000003
【図３】
0003746814.tif 000004
【図４】
0003746814.tif 000005
【図５】
0003746814.tif 000006